(57)【要約】【課題】  鍵の携帯時に嵩張らず、且つ高いファッション性を有するキーホルダを提供すること。【解決手段】  キーホルダ（１）は、ホルダ本体（２）と留め具（３）とからなる。ホルダ本体（２）の両端部は互いに対向する半円弧を形成する。留め具（３）は、蓋部（３１）と底部（３２）とを、第１支柱（５１）、第２支柱（５２）、第３支柱（５４）および押開部（６）により接合して構成される。ホルダ本体（２）は蓋部（３１）と底部（３２）との間に介在され、一端は第１支柱（５１）と第２支柱（５２）との間に配置される。鍵の取付および取外しの際には操作者が留め具（３）をスライドさせ、押開部（６）にホルダ本体（２）の両端部の間を通過させる。【選択図】  図３
2006314406.tif 000002
【特許請求の範囲】
【請求項１】
両端部が互いに対向する半円弧を形成するホルダ本体と、
前記ホルダ本体の前記両端部の開閉操作に用いられる留め具とを備え、
前記留め具は、表面に凹部を有するドーム状の蓋部と、平板状の底部とを、第１支柱、第２支柱、第３支柱および押開部により接合して構成されるキーホルダにおいて、
前記第１支柱は、前記ホルダ本体の一端部が形成する前記半円弧の内側に位置し、
前記第２支柱は、前記ホルダ本体の前記一端部が形成する前記半円弧の外側に、前記ホルダ本体を挟んで前記第１支柱と対向して位置し、
前記第３支柱は、前記ホルダ本体の他端部が形成する前記半円弧の外側に位置し、
前記押開部は、前記ホルダ本体の前記両端部の間に位置し、
前記ホルダ本体は、前記留め具の前記蓋部と前記底部との間に介在されることを特徴とするキーホルダ。
【請求項２】
請求項１に記載のキーホルダにおいて、
少なくとも前記ホルダ本体は弾性を備えた金属よりなることを特徴とするキーホルダ。
【請求項３】
請求項１に記載のキーホルダにおいて、
前記ホルダ本体および前記留め具は銀よりなることを特徴とするキーホルダ。
【請求項４】
請求項１乃至３のいずれかに記載のキーホルダにおいて、
前記押開部は楕円柱であることを特徴とするキーホルダ。
【請求項５】
請求項１乃至４のいずれかに記載のキーホルダにおいて、
前記ホルダ本体の表面には装飾が施されることを特徴とするキーホルダ。
【発明の詳細な説明】
【技術分野】
【０００１】
本発明はキーホルダに係り、より詳細には鍵の携帯時に嵩張らず、且つ高いファッション性を有するキーホルダに関する。
【背景技術】
【０００２】
キーホルダの本来の使用目的は多数の鍵を一手に束ねておくことであったが、次第に装飾性が重視されるようになり、現在では様々な形状のキーホルダが作製されている。
本来の役割を主眼に置いたキーホルダとしては、例えば皮革など主に柔軟な素材から作成された三つ折りのカバーを備えたものが知られている。この種のキーホルダにおいては、三つ折り時にカバー内側の中央部分にあたる位置にフック等の金具を配置して鍵を保持し、カバー外側の両端に設けたスナップボタンを嵌合させて、鍵を収納した状態で携帯するのが一般的である。カバー外側に彩色や細工を施すことにより、装飾性を提供することも可能である。
【０００３】
一方、特に若年層向けに販売されているキーホルダは、開閉可能なリング状の金具に鎖等を連結し、この鎖の先端にマスコットや人形を取り付けたものが主である。この種のキーホルダは鍵を保持するための道具にとどまらず、しばしば鞄等に取り付けて装飾品として用いられる。三つ折りのキーホルダに比べ安価であることから、例えば観光地の土産品として製造・販売されることも多い。
【０００４】
後者のキーホルダの中には、マスコットとしての装飾的効果を備えるだけでなく、さらに実用的あるいは娯楽的機能を有するものもある。例えば、特許文献１に記載されているのは、マスコットの内部に万華鏡を備えたキーホルダである。この発明によれば、鍵の保持機能やマスコットの装飾性に加え、娯楽性を提供することもできる。
また、特許文献２に記載の考案は、マスコットの内部に電源、スピーカ、回路基板等を備え、音声を発生させることによってトイレの使用音を消音することのできるキーホルダであり、鍵の保持機能およびマスコットの装飾性のほかに、実用性を備えている。
【０００５】
あるいは、特許文献３のように、三つ折りのキーホルダと同様鍵を内部に収納することができ、同時にマスコット付キーホルダに劣らない多様な装飾を施すことが可能なキーホルダもある。
【特許文献１】特開２０００−３３００７１号公報
【特許文献２】実用新案登録第３０７３３２９号公報
【特許文献３】特開２００４−２５４８１０号公報
【発明の開示】
【発明が解決しようとする課題】
【０００６】
三つ折りのキーホルダは、鍵が内部に収納されるので、ポケット等に入れたときに他のものを傷つけないという利点を有する反面、携帯時に厚みがあり嵩張ってしまう。特許文献１または２に記載されているようなマスコット付キーホルダも同様に、マスコットの大きさ・形状・重さによっては携帯に不便である。
また、マスコット付キーホルダは、年齢や職業、性別によっては持つことにためらいを感じる人もいる。
特許文献３に記載のキーホルダは、マスコット付キーホルダに比べて所持者を選ばず、しかも嵩張らずに高い装飾性を提供できる。しかし、鍵の使用時にはこれを取り出し、携帯時には収納するため、出し入れが煩雑である。
【課題を解決するための手段】
【０００７】
こうした問題点を解決するために本発明が提供するのは、両端部が互いに対向する半円弧を形成するホルダ本体と、ホルダ本体の両端部の開閉操作に用いられる留め具とを備え、この留め具が、表面に凹部を有するドーム状の蓋部と、平板状の底部とを、第１支柱、第２支柱、第３支柱および押開部により接合して構成されるキーホルダである。このキーホルダにおいて、第１支柱は、ホルダ本体の一端部が形成する半円弧の内側に位置し、第２支柱は、ホルダ本体の一端部が形成する半円弧の外側に、ホルダ本体を挟んで第１支柱と対向して位置し、第３支柱は、ホルダ本体の他端部が形成する半円弧の外側に位置し、押開部は、ホルダ本体の両端部の間に位置し、ホルダ本体は、留め具の蓋部と底部との間に介在される。
このキーホルダにおいて、少なくともホルダ本体は弾性を備えた金属よりなる。
また、ホルダ本体および留め具は銀よりなってもよい。
このキーホルダにおいて、押開部は楕円柱である。
さらに、このキーホルダにおいて、ホルダ本体の表面には装飾が施される。
【発明の効果】
【０００８】
本発明の提供するキーホルダによれば、嵩張らずに鍵を携帯することができる。また、従来のキーホルダとは構造・形状を異にする高いファッション性と、開閉操作の簡便さとを備えることから、年齢や職業、性別を問わず誰もが利用しやすい。
【発明を実施するための最良の形態】
【０００９】
本発明の好適な実施例を図面を参照して説明する。
図１に示すのは、キーホルダ（１）の斜視図である。図示するように、キーホルダ（１）はハート型に類似の形状を有するホルダ本体（２）と、留め具（３）とから構成される。留め具（３）は蓋部（３１）と底部（３２）とを備え、蓋部（３１）の表面中央付近には楕円形の凹部（４）が設けられている。凹部（４）は、キーホルダ（１）に装飾性を与えるとともに、開閉操作時に操作者が留め具（３）に指をかける際の滑り止めとして機能する。
【００１０】
図２に示すように、蓋部（３１）と底部（３２）とは、第１支柱（５１）、第２支柱（５２）、第３支柱（５３）および押開部材（６）により接合されている。また、蓋部（３１）と底部（３２）との間にはホルダ本体（２）が介在され、ホルダ本体（２）の一端は第１支柱（５１）と第２支柱（５２）との間に挟まれている。
ホルダ本体（２）および留め具（３）は、銀などの金属から作製し、鍵の携帯にあたって十分な強度を提供することが可能であるのが望ましい。また、ホルダ本体（２）の厚さは特に指定しないが、鍵に設けられた穴部（後述する）に通すことができる程度とする。
【００１１】
図３〜６に、本発明によるキーホルダの開閉操作を順に示す。図３〜６において、（ａ）はいずれもキーホルダ（１）の正面図であり、（ｂ）はいずれも（ａ）の蓋部（３１）を除いた状態を示す図である。（ｂ）の破線部分は、蓋部（３１）表面の凹部（４）の位置を表している。
【００１２】
図３（ａ）および（ｂ）に示すように、キーホルダ（１）が閉状態のとき、押開部（６）はホルダ本体（２）の両端部の間に位置する。キーホルダ（１）の開操作時には、操作者は例えば左手でホルダ本体（２）を持ち、右手で留め具（３）を持つ。このとき、右手の親指を留め具（３）の蓋部（３１）に、人差し指を底部（３２）に添えるとよい。
【００１３】
続いて、図４（ａ）および（ｂ）において矢印で示すように、操作者は留め具（３）を上右方向にスライドさせる。このとき、押開部（６）はホルダ本体（２）の両端部の間を押し広げながら通過する。図示するように、押開部（６）の断面は楕円形である。押開部（６）を楕円柱とすることにより、ホルダ本体（２）の両端部を確実に押し広げることができる。
【００１４】
図５（ｂ）から明らかなように、第１支柱（５１）は、ホルダ本体（２）の一端が形成する半円弧の内側に位置している。このため、押開部（６）がホルダ本体（２）の両端部の間を通過した後も、留め具（３）とホルダ本体（２）とが分離することはない。同時に、第１支柱（５１）は留め具（３）のスライド方向を決定する役割も果たしている。
【００１５】
押開部（６）がホルダ本体（２）の両端部の間を通過し、図５（ｂ）に示すように本体（２）から離隔したら、鍵（７）の取り付けを行う。鍵（７）はどのような鍵であってもよいが、取り付け用の穴部を有する鍵であるのが望ましい。ホルダ本体（２）のいずれかの端部を鍵（７）に通したら、閉操作の妨げとならないようホルダ本体（２）に沿って移動させる。
【００１６】
次に、キーホルダ（１）を閉状態に戻すために、留め具（３）を操作する。開操作時と同様、閉操作時においても、例えば左手にホルダ本体（２）を持ち、右手に留め具（３）を持つ。図６（ａ）および（ｂ）において矢印で示すように、留め具（３）を左下方向にスライドさせると、押開部（６）がホルダ本体（２）の両端部の間を押し開きながら通過する。
【００１７】
押開部（６）が両端部の間を完全に抜けると、キーホルダ（１）は鍵（７）をホルダ本体（２）に保持したままで再び閉状態となる。図７にこれを示す。キーホルダ（１）はこの状態で携帯することができる。
【００１８】
本実施例では留め具（３）を上右方向にスライドさせたが、本発明の別の実施例においては、留め具（３）を上左方向にスライドさせてもよい。その場合には、第１支柱（５１）をホルダ本体（２）を挟んで第３支柱（５３）と対向するように配置する。
また、本実施例においてはホルダ本体（２）はハート型に類似の形状としたが、これに限定されることはない。同様に、留め具（３）の形状や、蓋部（３１）表面の凹部（４）の形状も適宜変更することが可能である。
【図面の簡単な説明】
【００１９】
【図１】本発明によるキーホルダの斜視図。
【図２】本発明によるキーホルダを上部から見た図。
【図３】（ａ）は本発明によるキーホルダの閉状態での正面図、（ｂ）は（ａ）の蓋部を除いた状態を示す図。
【図４】（ａ）は本発明によるキーホルダの開操作を説明する正面図、（ｂ）は（ａ）の蓋部を除いた状態を示す図。
【図５】（ａ）は本発明によるキーホルダの開操作を説明する正面図、（ｂ）は（ａ）の蓋部を除いた状態を示す図。
【図６】（ａ）は本発明によるキーホルダの閉操作を説明する正面図、（ｂ）は（ａ）の蓋部を除いた状態を示す図。
【図７】本発明によるキーホルダの使用例を示す図。
【符号の説明】
【００２０】
１  キーホルダ
２  ホルダ本体
３  留め具
３１  蓋部
３２  底部
４  凹部
５１  第１支柱
５２  第２支柱
５３  第３支柱
６  押開部
７  鍵
【図１】
2006314406.tif 000003
【図２】
2006314406.tif 000004
【図３】
2006314406.tif 000005
【図４】
2006314406.tif 000006
【図５】
2006314406.tif 000007
【図６】
2006314406.tif 000008
【図７】
2006314406.tif 000009